(57)【要約】      （修正有）【課題】中心接点に接続されたリード線が何らかの事情により外側方向に引っ張られた場合でも、中心接点とランプの中心端子との確実な接触を保つことができるソケットを提供する。【解決手段】接点などを収納する収納スペースを有するソケット本体と、収納スペース内に余裕をもってはめ込まれて載置される切り抜かれた金属製平板で構成される中心接点とを有し、収納スペースは金属製平板がはめ込まれた状態で収納スペース内で面内移動しない形状を有する。また、収納スペースが内壁の一部に凹または凸の係止壁部を有し、中心接点部が前記内壁の係止壁部に係止される凸または凹の係止部を有する。また、中心接点が金属製平板の中央部分の舌片と周辺部分とからなる渦巻き形状をなしており、前記舌片が前記周辺部分とは独立して上下方向に撓み可能である。【選択図】図１
0003149758.tif 000002
【実用新案登録請求の範囲】
【請求項１】
接点などを収納する収納スペースを有するソケット本体と、
収納スペース内に余裕をもってはめ込まれて載置される切り抜かれた金属製平板で構成される中心接点と、
を有し、
収納スペースは、金属製平板がはめ込まれた状態で収納スペース内で面内移動しない形状を有するソケット。
【請求項２】
収納スペースは、内壁の一部に凹または凸の係止壁部を有し、
中心接点部は、前記内壁の係止壁部に係止される凸または凹の係止部を有する請求項１に記載のソケット。
【請求項３】
中心接点は、金属製平板の中央部分の舌片と周辺部分とからなる渦巻き形状をなしており、前記舌片が前記周辺部分とは独立して上下方向に撓み可能である請求項１または２に記載のソケット。
【考案の詳細な説明】
【技術分野】
【０００１】
本件考案は、ソケットに関し、特にソケット本体の収納スペース内に載置された中心接点を有するソケットに関する。
【背景技術】
【０００２】
ソケット、特にランプの口金をランプ受け金に螺合するなどによりランプを装着するタイプのソケットに関しては、従来から、筒状のソケット本体を有し、当該本体内に一のリード線（通例陽極側）に接続された中心接点と、他のリード線（通例陰極側）に接続されたランプ受け金とを載置し、中心接点・ランプ受け金それぞれに接続されたリード線をソケットの側面に設けた開口部から外に引き出すタイプのものが知られている（例えば、特許文献１参照）。
【０００３】
図９は、従来のソケットの一例を示す図であって、上に述べたようなタイプのソケット０９００の構成要素を分解斜視図で示したものである。本図の例では、ソケット本体０９０１は、筒状の形状をなしており、その底部に設けられた凹み０９０１ａにコイルばね０９０２が上下方向に伸縮する向きに載置される。なお、本明細書において「載置する」とは、ねじ、接着剤等によって固定することなく単に載せ置くことをいう。
【０００４】
当該コイルばね上には一のリード線０９０３に接続された金属製板である中心接点０９０４が載置され、当該金属製板上にはスペーサ０９０５が載置され、スペーサ上にはランプ受け金０９０６が載置される。
【０００５】
ランプ受け金は、他のリード線０９０７に接続された環状の金属製部材であって、雌ねじ等が設けられ、雄ねじ等が設けられたランプの口金部を螺合させることなどにより、ランプをソケットに装着することが可能な構造になっている。
【０００６】
スペーサは、中心接点とランプ受け金の絶縁を確保するためのものである。また、スペーサの中心部には貫通孔０９０５ａが穿たれ、ランプ受け金に装着されたランプの中心端子がこの貫通孔を介して中心接点に接触することが可能な構造になっている。
【０００７】
そして、これらの部材をソケットとして組み立てる際には、コイルばね、中心接点、スペーサおよびランプ受け金をソケット本体に下からこの順に収納した状態で、ソケット蓋部０９０８を上から被せるとともに、ソケット台座部０９０９を下からあてがい、ソケット台座部のねじ挿通穴（ソケット組み立て用ねじ挿通穴）０９０９ａなど（ソケット蓋部、ソケット本体にもねじ挿通穴が設けられている）を利用してねじ０９１０などで固定する。なお、ソケット台座部に穿たれた他の穴０９０９ｂは、固定面へのソケット固定用のねじ挿通穴である。
【０００８】
この結果、ソケットが組み立てられた状態においては、ソケット本体内に収納されている各部材は、コイルばねによって上方向（図中の矢印Ａ方向）に付勢され、上に持ち上げようとする力を受けることになるが、その一方で、これら各部材の上への移動はソケット蓋部によって規制される。このため、中心接点がスペーサに対して上方向に押し付けられ、スペーサがランプ受け金に、ランプ受け金がソケット蓋部に順次上方向に押し付けられる状態となる。
【０００９】
この状態で、ランプ（図示を省略）をソケットに装着した場合、即ち、ランプの口金部をランプ受け金に装着して、ランプの中心端子がスペーサの中央部分に設けられた開口部０９０５ａを介して中心接点に接触した状態とした場合、中心接点はコイルばねからの付勢力によってスペーサの開口部を介してランプの中心端子に押し付けられる状態となり、中心接点とランプの中心端子との確実な接触が確保されることになる。
【先行技術文献】
【特許文献】
【００１０】
【特許文献１】登録実用新案３０６２１０２号公報
【考案の概要】
【考案が解決しようとする課題】
【００１１】
しかし、以上に説明したような従来のソケットでは、図９にも現れているように、一般に金属製板である中心接点がソケット本体内のスペースに比して小さいため、中心接点に接続されたリード線が何らかの事情により外側方向に引っ張られた場合、中心接点とランプの中心端子との確実な接触が保てなくなり、場合によっては中心接点がランプの中心端子と接触可能な領域から外れてしまうおそれがあった。
【００１２】
そこで、本発明の解決すべき課題は、中心接点に接続されたリード線が何らかの事情により外側方向に引っ張られた場合でも、中心接点とランプの中心端子との確実な接触を保つことができるソケットを提供することにある。
【課題を解決するための手段】
【００１３】
以上の課題を解決するため、第一の考案は、接点などを収納する収納スペースを有するソケット本体と、収納スペース内に余裕をもってはめ込まれて載置される切り抜かれた金属製平板で構成される中心接点とを有し、収納スペースは、金属製平板がはめ込まれた状態で収納スペース内で面内移動しない形状を有するソケットを提供する。
【００１４】
また、第二の考案は、第一の考案を基礎として、収納スペースは、内壁の一部に凹または凸の係止壁部を有し、中心接点部は、前記内壁の係止壁部に係止される凸または凹の係止部を有するソケットを提供する。
【００１５】
また、第三の考案は、第一または第二の考案を基礎として、中心接点は、金属製平板の中央部分の舌片と周辺部分とからなる渦巻き形状をなしており、前記舌片が前記周辺部分とは独立して上下方向に撓み可能であるソケットを提供する。
【考案の効果】
【００１６】
本考案により、中心接点に接続されたリード線が何らかの事情により外側方向に引っ張られた場合でも、中心接点とランプの中心端子との確実な接触を保つことができるソケットを提供することができる。
【図面の簡単な説明】
【００１７】
【図１】本考案に係るソケット一例を示す分解斜視図
【図２】本考案に係るソケットの外観の一例を示す斜視図
【図３】本考案に係るソケットの構造の一例を示す垂直断面図
【図４Ａ】実施例１における金属製平板と収納スペースの内壁の形状の一例を示す概念図
【図４Ｂ】実施例１における金属製平板と収納スペースの内壁の形状の一例を示す概念図
【図５】実施例１における金属製平板と収納スペースの内壁の形状の一例を示す図
【図６】実施例１における金属製平板と収納スペースの内壁の形状の一例を示す図
【図７】実施例１におけるランプ受け金・ランプ受け金の収納スペース部分の形状の一例を示す図
【図８】実施例１の金属製平板の形状の一例を示す図
【図９】従来のソケットの一例を示す図
【符号の説明】
【００１８】
０１００      ソケット
０１０１      ソケット本体
０１０１ａ    コイルばねを収納するための凹み
０１０２      コイルばね
０１０３      一のリード線
０１０４      金属製平板（中心接点）
０１０５      スペーサ
０１０６      ランプ受け金
０１０７      他のリード線
０１０８      ソケット蓋部
０１０９      ソケット台座部
０１０９ａ    ねじ挿通穴（ソケット組み立て用ねじ挿通穴）
０１０９ｂ    固定面へのソケット固定用のねじ挿通穴
０１１０      ねじ
０１１１      収納スペースの内壁の一部に設けられる凹または凸の係止壁部
０１１２      金属製平板の凸または凹の係止部
【考案を実施するための形態】
【００１９】
以下に、本考案の実施例を説明する。実施例と請求項の相互の関係については、実施例１は主に請求項１、２などに関し、実施例２は主に請求項３などに関する。なお、本考案はこれら実施例に何ら限定されるものではなく、その要旨を逸脱しない範囲において、種々なる態様で実施しうる。
【実施例１】
【００２０】
本実施例のソケットは、ソケット本体と中心接点とを有するソケットであって、ソケット本体の収納スペースが中心接点を構成する金属製平板がはめ込まれた状態で収納スペース内で面内移動しない形状を有する点に特徴があるものである。また、さらに収納スペースの内壁の一部と中心接点部とに凹凸の係止手段を設けて中心接点部を内壁に係止するようにしたものも、本実施例のソケットに含まれる。
【００２１】
<構成>
【００２２】
（全般）
【００２３】
はじめに、本考案に係るソケットの全般的な構成について述べる。
【００２４】
図１は、本考案に係るソケット一例を示す分解斜視図である。本図に示すように、本考案に係るソケット０１００は、ソケット本体０１０１と、一のリード線０１０３に接続され、切り抜かれた金属製平板で構成されるソケット中心接点０１０４とを有する。
【００２５】
このほか、本考案に係るソケットも、コイルばね０１０２、スペーサ０１０５、他のリード線０１０７に接続されたランプ受け金０１０６を有し、これらがソケット本体に収納され、これらを収納した状態でソケット蓋部０１０８を上から被せるとともに、ソケット台座部０１０９を下からあてがい、ソケット台座部のねじ挿通穴（ソケット組み立て用ねじ挿通穴）０１０９ａなどを利用してねじ０１１０などで固定することでソケットが組み立てられた状態となる。なお、ソケット台座部に穿たれた他の穴０１０９ｂは、固定面へのソケット固定用のねじ挿通穴である。
【００２６】
このうち、ソケット蓋部、コイルばね、ソケット台座部は従来のものと同様のものを用いることで足りる。本図でも、ソケット蓋部、コイルばね、ソケット台座部の形状は図９に示した従来のソケットと同様のものを示した。また、コイルばね、中心接点を構成する金属製平板、スペーサ、ランプ受け金をソケット本体内に収納する要領も、単にこれらの部材をソケット本体内に順次載置していけばよいという点で、従来のソケットの場合と同様である。
【００２７】
一方、本考案のソケットの特徴は、ソケット本体の収納スペースが、金属製平板がはめ込まれた状態で収納スペース内で面内移動しない形状を有する点にある。ここで、金属製平板が「面内移動しない」とは、後に詳述するように、水平方向に対して平行移動も回転移動もしないことをいう。このための収納スペースの内壁および金属製平板の好適な形状の一例としては、本図に示すように、収納スペースの内壁の一部に凹または凸の係止壁部を有し、中心接点部は、前記内壁の係止壁部に係止される凸または凹の係止部を有するものが考えられる。また、本図にも示すように、スペーサおよびランプ受け金の形状ならびに収納スペースの内壁のこれらを収納する部分の形状も、互いに係止される形状であることが望ましい。
【００２８】
図２は、本考案に係るソケットの外観の一例を示す斜視図である。本図のソケット０２００は、中心接点、コイルばね、スペーサ（以上、本図には現れない）およびランプ受け金（本図には僅かに現れている）をソケット本体０２０１内に収納した状態で、ソケット蓋部０２０８を上から被せるとともに、ソケット台座部０２０９を下からあてがい、ねじ０２１０で固定して組み立てた状態を示すものである。
【００２９】
なお、本図では、二本のリード線０２０３、０２０７が左右の異なる側から引き出されているが、これらを同じ側から引き出すことも可能なように構成されてもよい。かかる構成は、例えば、ランプ受け金の形状およびソケット本体の収納スペースのうちランプ受け金の収納スペース部分の形状（水平断面に現れる形状）を点対称とし、ソケットを組み立てる際にランプ受け金を載置する向きを選択できるようにすることで実現可能である。図１に示したランプ受け金の形状およびランプ受け金の収納スペース部分の形状もかかる例を示しているが、詳細については後述する（後述の図７参照）。
【００３０】
図３は、本考案に係るソケットの構造の一例を示す垂直断面図であり、図２のＸ‐Ｘ断面図である。
【００３１】
本図に示すように、ソケット０３００（ランプ０３１４を除く部分を示す）は、ソケット本体０３０１（断面を右下がり斜線で示す）内にコイルばね０３０２、一のリード線０３０３に接続された中心接点を構成する金属製平板０３０４、スペーサ０３０５、他のリード線０３０７に接続されたランプ受け金０３０６を収納し、ソケット蓋部０３０８（断面を右上がり斜線で示す）を上から被せるとともにソケット台座部０３０９を下からあてがい、ねじ（本断面には現れない）により固定されている。
【００３２】
また、ソケット本体の底部には、コイルばねを収納するための凹み０３０１ａが設けられ、コイルばねはこの中に上下に伸縮する方向に載置される。前述した従来のソケットの場合と同様に、ソケット本体内に収納されている各部材は、コイルばねによって矢印Ａ方向に付勢されて上に持ち上げようとする力を受ける一方、上への移動がソケット蓋部によって規制されているため、中心接点、スペーサ、ランプ受け金がソケット蓋部に順次押し付けられる状態となり、ランプをソケットに装着した場合に、中心接点はコイルばねからの付勢力によってランプの中心端子０３１５に押し付けられた状態となり、中心接点とランプの中心端子との確実な接触が確保されることになる。
【００３３】
なお、ソケット本体の収納スペースが、金属製平板がはめ込まれた状態で収納スペース内で面内移動しない形状を有しているとの本考案の特徴に関しては、本図では明確には現れていないものの、金属製平板０３０４が収納スペース内において左右に現れている内壁０３１３にほぼ接する程度の位置を占めていることにその一端が示されている（従来のソケットの中心接点を構成する金属製平板等であれば、垂直断面図には収納スペース内において内壁と相当程度に隙間があいた状態で現れることになる）。
【００３４】
（ソケット本体）
【００３５】
図１に戻り、次にソケット本体について説明する。ソケット本体０１０１は、上述のように中心接点等の各部材を収納するように構成される。このため、ソケット本体は内部に空洞の収納スペースを有する筒状の形状をなす。
【００３６】
本考案の特徴は、上述のように、収納スペースの形状が、金属製平板が当該スペース内で面内移動しないようになっている点にある。本図の例は、その好適例として、収納スペースの内壁の一部に凹または凸の係止壁部０１１１（本図は凹の例）を有し、これが中心接点を構成する金属製平板の凸または凹の係止部０１１２（本図は凸の例）と噛み合うことで中心接点がソケット本体の内壁の係止壁部に係止され、金属製平板が収納スペース内で面内移動しないようになっているものを示している（後に図５、図６を用いて詳述する）。ただし、収納スペースの形状はこの例に限られず、例えば、収納スペースの形状が金属製平板と略合同の形状であるといったものでもよい（例えば、金属製平板が略八角形形状の場合にこれより僅かだけ大きい略八角形形状であるといったものなどが考えられる。ただし、収納スペースの形状・金属製平板の形状の少なくともいずれか一方が略正円であるものは、金属製平板が当該スペース内で回転移動してしまうおそれがあることから除かれる）。このほかにも収納スペースの形状には様々なものが考えられるが、これらについては後述する（後述の図４Ａ、図４Ｂ参照）。
【００３７】
なお、本図の例では、ソケット本体の底部に、コイルばねを収納するための凹み０１０１ａが設けられている。コイルばねは、その上に載置される中心接点を上方向に付勢するためのものであるが、ソケットの組み立てを容易に行うという観点からは、コイルばねもソケット本体の底部に載置するだけでよいようにすることが望ましい。そこで、この凹みはコイルばねを簡単に載置することができるようにするために設けられるものである。
【００３８】
また、ソケット本体の収納スペースは、ランプ受け金も収納スペース内で面内移動しないような形状であることが望ましい。これは、ランプ受け金が移動することでこれにより保持されているランプの口金部、ひいてはランプ自体がガタつくことを防止するためである。本図の例は、上述の中心接点を構成する金属製平板の場合と同様、収納スペースの内壁・ランプ受け金の凹凸の噛み合わせによって面内移動しないようにしている好適例であるが、この場合の収納スペースの形状も、中心接点を構成する金属製平板の場合と同様に様々なものが考えられる。また、前述のように、二本のリード線を同じ側から引き出すことも可能なように構成されていてもよく、このためには例えばランプ受け金の形状を点対称とするとともに、収納スペースの内壁の形状をこれに対応する点対称の形状とすればよい。
【００３９】
このように構成することで、ランプ受け金の収納スペースの形状を、ランプ受け金が面内移動しないような形状であって、かつ点対称の形状とすることで、ランプ受け金が移動してランプがガタつきことを防ぐことができる（第一の目的）とともに、リード線の引き出し方向も選択できるようなソケットを実現すること（第二の目的）が可能となる。本図の例も、ソケット本体の収納スペースの形状等が、このような二つの目的を同時に実現できるものを示している。
【００４０】
（中心接点）
【００４１】
次に、中心接点について説明する。中心接点は、一のリード線に接続され、ランプの中心端子に接触してランプへの給電を行うためのものであるが、本考案では、収納スペース内に余裕をもってはめ込まれて載置される切り抜かれた金属製平板で構成される。
【００４２】
金属製平板は、導電性の金属であればその材料は問わない。また、「余裕をもってはめ込まれる」とは、収納スペース内に載置したときに収納スペースの内壁との間に隙間が生じる程度の、収納スペースよりもやや小さい寸法を有するということであり、これにより金属製平板の載置が簡単な動作で可能となり、ソケットの組み立てが容易に行えることに資するものである。
【００４３】
また、「切り抜かれた」とは、金属製平板の製造過程において、より広面積の平板の一部を切り抜いて当該金属製平板を得ることで、金属製平板が一体的に成形されたものであることを意味する。本考案における「平板」は、必ずしも板が完全な平面をなしていることを要しない。例えば、板全体が下側に向かってやや湾曲した略椀形状を有するものや、板の中央部分にランプの中心端子を受けるためのディンプル状の凹みを設けたもの、あるいは板の周縁部分をソケット本体の底部側に折り曲げた形状を有するものなど（これらの複数に該当してもよい）も、本考案にいう金属製「平板」に含まれる。金属製平板が略椀形状を有する場合には、ランプの中心端子を包み込むような形でこれを金属製平板上に容易かつ確実に載置することが可能となる。また、金属製平板の中央部分にディンプル状の凹みを設けた場合には、当該凹みにランプの中心端子をあてがうことでこれを金属製平板上に容易かつ確実に載置することが可能となる。さらに、金属製平板の周縁部分をソケット本体の底部側に折り曲げた形状とした場合には、金属製平板をコイルばねの上に載置する場合に、コイルばねをこの折り曲げ部分で覆うような形で金属製平板をコイルばね上に確実に載置することが可能になるとともに、金属製平板がコイルばねからの付勢力などによってソケット本体の収納スペース内を上下に移動する際に、この折り曲げ部分がソケット本体の内壁に沿って移動することになるため、金属製平板の周縁部分を切りっぱなしにした場合に比べて金属製平板のスムーズな移動が可能となる。
【００４４】
また、本考案における「平板」は、切り抜かれた段階で（つまり製造された段階で）平面（上に前段落に述べたような態様を含むことはいうまでもない）をなしていればよく、ソケットに組み込まれた後に変形して使用される場合があってもよい。例えば、後述するように、中心接点が、金属製平板の中央部分の舌片と周辺部分とからなる渦巻き形状をなしており、舌片が周辺部分とは独立して上下方向に撓み可能であるものであってもよい。
【００４５】
そして、本考案における中心接点を構成する金属製平板の特徴は、上述のように、リード線が引っ張られて中心接点がランプの中心端子からはずれることを防止するため、金属製平板がはめ込まれた状態で収納スペース内で面内移動しないようになっている点にある。従って、金属製平板の形状は、上述したソケット本体の収納スペースの内壁の形状と相まって、かかる構成を実現可能なものとすることが望ましい。
【００４６】
（金属製平板と収納スペースの内壁の形状の一例）
【００４７】
そこで次に、金属製平板と収納スペースの内壁の形状の一例について説明する。
【００４８】
図４Ａ、図４Ｂは、本実施例における金属製平板と収納スペースの内壁の形状の一例を示す概念図である。
【００４９】
まず、図４Ａ（ａ）に示すように、収納スペースの内壁０４１３の形状が金属製平板０４０４の形状と略合同の形状であるといったものが考えられる。本図（ａ）には、金属製平板が略八角形形状であり、収納スペースの内壁がこれより僅かだけ大きい略八角形形状である例を示した。このほか、収納スペースの内壁・金属製平板の形状は、略三角形、略四角形その他の略多角形や略長円などであってもよく、要するに、金属製平板がはめ込まれた状態で収納スペース内で面内移動しないような形状であればよい。
【００５０】
既に触れたように、金属製平板が「面内移動しない」とは、水平方向に対して平行移動も回転移動もしないようにすることをいう。その目的は中心接点に接続されたリード線が何らかの事情により外側方向に引っ張られた場合でも中心接点とランプの中心端子との確実な接触を保つことできるようにすることにある。かかる観点からは、収納スペースの内壁・金属製平板の少なくとも一方の形状が略正円ではない方が望ましい。なぜなら、かかる形状の場合、中心接点に接続されたリード線が何らかの事情により外側方向に引っ張られた場合に金属製平板が回転移動してしまい、中心接点とランプの中心端子との確実な接触が保てなくなるおそれがあるためである。
【００５１】
ただし、金属製平板は収納スペースに余裕をもってはめ込まれて載置されるものであることから、僅かに移動する程度、具体的に言えば、金属製平板が中心接点とランプの中心端子との確実な接触を保つ上で支障がない程度に若干移動することは、「面内移動しない」といえる範囲に含まれる。
【００５２】
なお、「面内移動」とはあくまで水平方向の移動を意味し、金属製平板がコイルばね付勢されるなどによって垂直方向に移動することは何ら意味しない。
【００５３】
また、図４Ａ（ｂ）に示すように、金属製平板０４０４の周縁部の形状が収納スペースの内壁の形状とほぼ同形であれば、金属製平板の内部に切り欠き部分があってもよい（ただし、中心接点との接触部分（通例は概ね破線領域０４０４ａで示す中心部分の範囲）に切り欠き部分を設けることはできない）。
【００５４】
また、図４Ｂ（ａ）、（ｂ）に示すように、収納スペースの内壁の一部に凹または凸の係止壁部があり、中心接点部を構成する金属製平板にも凸または凹の係止部があって、これが内壁の係止壁部に係止されることで金属製平板が面内移動しないようになっていてもよい。このうち、図４Ｂ（ａ）は、係止壁部０４１１が凹であり係止部０４１２が凸である例、図４Ｂ（ｂ）は逆に係止壁部０４１１が凸であり係止部０４１２が凹である例を示す。なお、ここでは図示を省略したが、この場合にも金属製平板の内部に切り欠き部分があってもよい（前出の図１の例はかかる一例である）。
【００５５】
さらに、図４Ｂ（ｃ）に示すように、係止壁部の凹凸の形状が、内壁面側において狭く、外壁面側において広くなっており、これに金属製平板の係止部を係止するようにしてもよく、この場合には金属製平板の形状が収納スペースの形状とかなり異なっていても（かなり小さくても）面内移動しない構造とすることができる。
【００５６】
図５は、本実施例における金属製平板と収納スペースの内壁の形状の一例を示す図であって、図１に示したのと同様の形状のものを平面図で示したものである。本図の例は、収納スペースは、内壁の一部に凹または凸の係止壁部を有し、中心接点部を構成する金属製平板には、内壁の係止壁部に係止される凸または凹の係止部を有する好適例である。
【００５７】
このうち、図５（ａ）は金属製平板０５０４の形状を示し、図５（ｂ）はソケット本体０５０１の収納スペースの内壁０５１３の形状を示す。図５（ａ）に示すように、金属製平板の左上部分には、凸の係止部０５１２（概ね破線で囲んだ範囲）が設けられる。また、図５（ｂ）に示すように、収納スペースの内壁の左上部分には凹の係止壁部０５１１（概ね破線で囲んだ範囲）が設けられている。係止部と係止壁部の相対的な位置・形状・寸法はほぼ一致している。そこで、金属製平板をコイルばねの上に載置するなどして収納した場合、金属製平板の係止部が収納スペースの内壁の係止壁部に噛み合うことで係止され、たとえリード線０５０３が外側に引っ張られても金属製平板が収納スペース内で面内移動しないとの構成を実現することができる。
【００５８】
なお、本図では中心接点が金属製平板の中央部分の舌片と周辺部分とからなる渦巻き形状をなしている好適例を示したが、この点については別の実施例にて後述する（次の図６についても同様である）。
【００５９】
図６も、本実施例における金属製平板と収納スペースの内壁の形状の一例を示す図であって、図１に示したのと同様の形状のものを断面斜視図で示したものである。
【００６０】
まず、図６（ａ）は、ソケット本体０６０１の収納スペースの内壁０６１３の形状の一例を示す垂直断面図である。なお、本例のソケット本体は、本図に現れない手前側の内壁の形状が図示された内壁の形状と同じであって、収納スペースの水平断面が点対称の形状をしている例である。
【００６１】
ソケット本体の収納スペースの内壁の一部は、凹または凸の係止壁部を有するところ、本図の例では、中心接点の収納部分（次に示す図６（ｂ）参照）においては、左上部分の内壁に凹の係止壁部０６１１が設けられている。この係止壁部に対して、次に述べるように中心接点を構成する金属製平板の係止部が噛み合うことで、中心接点がソケット本体の内壁の係止壁部に係止される。
【００６２】
図６（ｂ）は、（ａ）に示したソケット本体０６０１に加え、中心接点を構成する金属製平板０６０４が載置された状態を示したものである。なお、両者の位置関係を見やすくするため、金属製平板（斜線で示す）は全体を図示し、その輪郭を太破線で示した。金属製平板には凸または凹の係止部が設けられるところ、本図の例では、金属製平板の左上部分に凸の係止部０６１２が設けられている。この係止部の形状はソケット本体の内壁の係止壁部の形状とほぼ一致している。これにより係止部と係止壁部が噛み合い、中心接点がソケット本体の内壁の係止壁部に係止されることで、金属製平板が収納スペース内で面内移動しないようにすることが可能となる。
【００６３】
なお、図６の例では、収納スペースの内壁がほぼ垂直に設けられている例を示したが、このことは必須ではなく、例えば、内壁が金属製平板の載置位置から上に向かってやや広がった形状をしていてもよい。内壁をこのような形状とした場合には、ソケットの組み立てをより一層容易に行うことが可能となる。
【００６４】
（その他：スペーサ、ランプ受け金等）
【００６５】
以上のほか、本実施例のソケットのソケット本体には、コイルばね、スペーサ、ランプ受け金も収納される。これらを収納する場合のそれぞれの部材の機能、形状は従来のソケットにおけるものと同様である。
【００６６】
なお、スペーサは、中心接点とランプ受け金の絶縁を保つ機能のほか、中心接点を構成する金属製平板から伝えられる付勢力を受けてランプ受け金を上方向に押し付ける機能を有する。従って、スペーサも収納スペースにはめ込まれた状態で収納スペース内で面内移動しないことが望ましい。このため、収納スペースのうちスペーサの収納部分の内壁の形状もかかる面内移動しない形状とするとともに、スペーサの形状もこれに見合う形状とすることが望ましい。具体的な両者の形状は、図４Ａ、図４Ｂを用いて金属製平板と収納スペースの内壁の形状に関して説明したところと同様に考えればよい。図１に示したソケット本体の収納部分の形状およびスペーサの形状も、かかる好適例を示したものである。
【００６７】
また、既述のように、ソケット本体の収納スペースは、ランプのガタつき防止のため、ランプ受け金も収納スペース内で面内移動しないような形状であることが望ましいことから、ソケット本体の収納スペースのうちランプ受け金の収納スペース部分の形状も、中心接点の収納スペース部分と同様に内壁に凹凸を設けた形状とするとともに、ランプ受け金の形状もこれに見合う凹凸を設けた形状とすることが望ましい。
【００６８】
また同時に、二本のリード線をソケット本体の異なる側・同じ側のどちらから引き出すかを組み立ての際に選択できるようにするため、例えば、ランプ受け金の形状およびソケット本体の収納スペースのうちランプ受け金の収納スペース部分の形状（水平断面に現れる形状）を点対称としてもよい。
【００６９】
図７は、本実施例におけるランプ受け金・ランプ受け金の収納スペース部分の形状の一例を示す図であって、それぞれがかかる凹凸を有するとともに点対称の形状を有する例を示したものである。本図に示す例は、図１に示したランプ受け金およびソケット本体の収納スペースの形状と同じものであって、これを平面図で示したものである。
【００７０】
このうち、図７（ａ）は、ランプ受け金０７０６の形状の一例を示す図である。本図の例では、ランプ受け金のフランジ部分のうちの左上部分に凸の係止部０７１２ａが設けられ、中央上部分から右上部分にかけてなだらかな曲線を有する形状をしている。また、ランプ受け金は点対称の形状をしており、フランジ部分のうちの右下部分にも左上部分と同形の凸の係止部０７１２ａ´が設けられ、中央下部分から左下部分にかけてなだらかな曲線を有する形状をしている。
【００７１】
次に、図７（ｂ）は、ソケット本体０７０１の形状の一例を示す図であり、ソケット本体内の収納スペースには既にコイルばね（図には現れない）、中心接点０７０４（中央の舌片部分の一部だけがスペーサの開口部を介して現れている）およびスペーサ０７０５が収納され、ランプ受け金だけが収納されていない状態を示したものである。従って、本図に現れているソケット本体の収納スペースの形状は、ランプ受け金の収納スペース部分の形状であり、左上部分の内壁に凹の係止壁部０７１１が現れている（なお、煩雑を避けるため、中心接点に接続される一のリード線およびソケット台座部の図示は省略した）。
【００７２】
図７（ｃ）は、図７（ａ）に示したランプ受け金を図７（ｂ）に示したソケット本体に収納した状態を示す。この状態においては、ランプ受け金の係止部０７１２ａが収納スペースの内壁の係止壁部０７１１に係止されており、ランプ受け金が収納スペース内で面内移動しないようにすることが可能となる。また、ランプ受け金の形状およびソケット本体の収納スペースのうちランプ受け金の収納スペース部分の形状が点対称であることから、ランプ受け金を１８０度回転させた向きで収納することが可能となり、これによりランプ受け金に接続された他のリード線０７０７を引き出す側を中心接点に接続される一のリード線を引き出す側（図示は省略したが本図の例では左側）と異なる側とすることも可能となる。
【００７３】
（ソケットの寸法）
【００７４】
以上に述べたソケットおよびこれを構成する各部材の寸法は、上記機能を実用的に発揮できるものであれば、特に限定はない。なお、好適な寸法の一例は以下のとおりである。即ち、ソケットは、前述のようにソケット蓋部、ソケット本体、ソケット台座部から構成されるが、このうち、ソケット台座部の寸法は、固定面へのソケット固定用のねじ挿通穴を有する方向（図１のソケット台座部０１０９の左上のソケット固定用のねじ挿通穴０１０９ｂから右下の同穴への方向）を縦方向として、縦の長さが約４０ｍｍ、横の長さが約２２ｍｍである。また、ソケット本体の寸法は縦の長さが約２０ｍｍ、横の長さが約２２ｍｍである。また、ソケットを組み立てた状態でのソケット台座部からソケット蓋部までを含む全体の高さは約２３ｍｍである。なお、この場合におけるその他の各部材の寸法は、図１などに現れているソケット本体などに対する比率に応じた寸法である。
【００７５】
<効果>
【００７６】
本実施例により、中心接点に接続されたリード線が何らかの事情により外側方向に引っ張られた場合でも、中心接点とランプの中心端子との確実な接触を保つことができるソケットを提供することができる。
【実施例２】
【００７７】
<概要>
【００７８】
本実施例のソケットは、実施例１のソケットと基本的に共通するが、さらに、金属製平板が中央部分の舌片と周辺部分とからなる渦巻き形状をなしており、舌片が周辺部分とは独立して上下方向に撓み可能に構成されている点に特徴がある。
【００７９】
<構成>
【００８０】
（全般）
【００８１】
本実施例のソケットは、実施例１のソケットと基礎として、中心接点は、金属製平板の中央部分の舌片と周辺部分とからなる渦巻き形状をなしており、前記舌片が前記周辺部分とは独立して上下方向に撓み可能であるように構成されている。
【００８２】
図８は、本実施例の金属製平板の形状の一例を示す図である。本図に示す金属製平板は、図１に示したものと同じ形状の例を示したものである。
【００８３】
図８（ａ）に示すように、本実施例の金属製平板０８０４は、中央部分の舌片０８０４ａと周辺部分０８０４ｂとからなる渦巻き形状をなしている。このような形状とすることで、舌片は周辺部分とは独立して上下方向に撓み可能な構造になっている。
【００８４】
このことの具体的な意味は、例えば、金属製平板が下から上方向（矢印Ａ方向）への付勢力を受けると、舌片だけが周辺部分とは独立して上に撓むようになっており、金属製平板が上から下方向（矢印Ａ´方向）への付勢力を受けると、舌片だけが周辺部分とは独立して下に撓むようになっているということである。かかる構成は、本図に示すように、舌片の一方の端を周辺部分に連なる固定端とし、他方の端を自由端とした片持ち梁状とすることで実現可能である。
【００８５】
図８（ｂ）は、金属製平板０８０４が下から上方向（矢印Ａ方向）への付勢力を受けて舌片０８０４ａだけが周辺部分０８０４ｂとは独立して上に撓んだ状態を示す。
【００８６】
このように構成された金属製平板をソケットに組み込むことで、ランプの装着時に、中心接点とランプの中心端子との接触をより確実に保つことが可能となる。なぜなら、ランプを装着した状態においては、金属製平板の舌片がスペーサの貫通孔を介してランプの中心端子に接触しているところ、金属製平板がコイルばねから上方向の付勢力を受けると、コイルばねに直接接している舌片だけが周辺部分とは独立して上に撓もうとするため、舌片がランプの中心端子に対してより強く押し付けられることとなるためである。そして、本実施例においても、ソケット本体の収納スペースが、金属製平板がはめ込まれた状態で収納スペース内で面内移動しない形状を有する点は実施例１で述べたところと同じであるので、結局、本実施例のソケットにあっては、舌片の位置が中央から外れることもなく、下から付勢された場合により確実にランプの中心端子を押し付けることができることとなる。
【００８７】
<効果>
【００８８】
本実施例により、中心接点とランプの中心端子との接触をより確実に保つことが可能となり、中心接点に接続されたリード線が何らかの外的事情により引っ張られた場合でも、中心接点とランプの中心端子との確実な接触を保つことができるソケットの提供をより好適に実現することができる。
【図１】
0003149758.tif 000003
【図２】
0003149758.tif 000004
【図３】
0003149758.tif 000005
【図４Ａ】
0003149758.tif 000006
【図４Ｂ】
0003149758.tif 000007
【図５】
0003149758.tif 000008
【図６】
0003149758.tif 000009
【図７】
0003149758.tif 000010
【図８】
0003149758.tif 000011
【図９】
0003149758.tif 000012